(57)【要約】【課題】  波長切替を要するタイミングで切替を実行できる波長切替制御方法、可変波長伝送装置および可変波長伝送システムを提供する。【解決手段】  複数の波長から選択された２以上の波長を多重化して光伝送を行うＷＤＭ伝送装置２１は、前記選択された波長毎に、その選択された波長と異なり、かつ多重化される他の波長とも異なる波長を切替候補波長として予め格納しておくための波長情報格納部８と、前記選択された波長毎の伝送環境として障害を検出する障害検出部６と、前記選択された波長に関する伝送環境条件が所定条件に適合したときに、前記選択された波長を切替候補波長に切り替える制御を行う波長切替制御部７とを備える。こうした構成により、切替に要する時間を短縮することができ、波長切替を要するタイミングで即座に切替を実行することができる。【選択図】      図３
2005286736.tif 000002
【特許請求の範囲】
【請求項１】
複数の波長から選択された２以上の波長を多重化して光伝送を行い、伝送環境条件に応じて前記選択された波長を別の波長に切り替える制御を行う波長切替制御方法であって、
前記選択された波長毎に、その選択された波長と異なり、かつ多重化される他の波長とも異なる波長を切替候補波長として予め決定しておき、
前記選択された波長に関する伝送環境条件が所定条件に適合したときに、前記選択された波長を切替候補波長に切り替える制御を行うことを特徴とする波長切替制御方法。
【請求項２】
前記伝送環境条件は、伝送障害に関する条件であり、前記所定条件は、伝送障害の発生が検出される条件であることを特徴とする請求項１記載の波長切替制御方法。
【請求項３】
複数の波長から選択された２以上の波長を多重化して光伝送を行う可変波長伝送装置であって、
前記選択された波長毎に、その選択された波長と異なり、かつ多重化される他の波長とも異なる波長を切替候補波長として予め格納しておくための波長情報格納部と、
前記選択された波長毎の伝送環境を検出する伝送環境検出部と、
前記選択された波長に関する伝送環境条件が所定条件に適合したときに、前記選択された波長を切替候補波長に切り替える制御を行う波長切替制御部とを備えたことを特徴とする可変波長伝送装置。
【請求項４】
前記多重化する各選択波長で光信号の送受信をそれぞれ行う可変波長トランスポンダを多重数だけ備えたことを特徴とする請求項３記載の可変波長伝送装置。
【請求項５】
前記可変波長トランスポンダは、前記波長情報格納部と伝送環境検出部と波長切替制御部とを備えたことを特徴とする請求項４記載の可変波長伝送装置。
【請求項６】
前記波長情報格納部は、全ての可変波長トランスポンダの選択波長に対応した切替候補波長を格納することを特徴とする請求項５記載の可変波長伝送装置。
【請求項７】
前記可変波長トランスポンダの監視制御を行う監視制御基板を備えたことを特徴とする請求項４記載の可変波長伝送装置。
【請求項８】
前記可変波長トランスポンダは、前記伝送環境検出部を備え、
前記監視制御基板は、前記波長情報格納部と波長切替制御部とを備えたことを特徴とする請求項７記載の可変波長伝送装置。
【請求項９】
複数の波長から選択された２以上の波長を多重化して光伝送を行う複数の可変波長伝送装置とこの可変波長伝送装置を監視制御する監視制御端末とを含む可変波長伝送システムであって、
前記可変波長伝送装置は、
前記選択された波長毎に、その選択された波長と異なり、かつ多重化される他の波長とも異なる波長を切替候補波長として予め格納しておくための波長情報格納部と、
前記選択された波長毎の伝送環境を検出する伝送環境検出部と、
前記選択された波長に関する伝送環境条件が所定条件に適合したときに、前記選択された波長を切替候補波長に切り替える制御を行う波長切替制御部とを備え、
前記監視制御端末は、全ての可変波長伝送装置を監視し、その監視結果に基づき各可変波長伝送装置による波長切替の可否を判断することを特徴とする可変波長伝送システム。
【発明の詳細な説明】
【技術分野】
【０００１】
本発明は、光伝送の障害発生時などに伝送波長を切り替える制御を行う波長切替制御方法、およびこの制御によって切り替えられた伝送波長で光伝送を行う可変波長伝送装置、可変波長伝送システムに関する。
【背景技術】
【０００２】
従来の波長切替制御は、複数の波長を選択的に出力可能な可変波長光源の波長を、トラフィック量に応じて切り替え制御するものである（例えば、特許文献１参照）。
【０００３】
【特許文献１】特開２００２−３４４４２５号公報（段落００１６〜００１９、図２）
【特許文献２】特開２００３−１４３０８２号公報
【特許文献３】特開平１０−３２２２８７号公報
【発明の開示】
【発明が解決しようとする課題】
【０００４】
しかしながら、従来の波長切替制御では、トラフィック量に応じて波長を切り替えるので、波長切替を実行する前に、トラフィック量を検出し、検出したトラフィック量から切替後の波長を決定する必要があり、トラフィック量の検出または波長の決定に長時間を要する場合には、波長を切り替えるべきタイミングで切り替えることができないという問題があった。特に、特定波長の通信パスにおける伝送障害の発生により、緊急に他の波長に切り替える必要がある場合に、サービス停止の時間が長くなり、通信パスの再確立が遅れてしまうという問題があった。
【０００５】
本発明の目的は、波長切替を要するタイミングで切替を実行できる波長切替制御方法、可変波長伝送装置および可変波長伝送システムを提供することである。
【課題を解決するための手段】
【０００６】
本発明の波長切替制御方法は、複数の波長から選択された２以上の波長を多重化して光伝送を行い、伝送環境条件に応じて前記選択された波長を別の波長に切り替える制御を行うものであって、前記選択された波長毎に、その選択された波長と異なり、かつ多重化される他の波長とも異なる波長を切替候補波長として予め決定しておき、前記選択された波長に関する伝送環境条件が所定条件に適合したときに、前記選択された波長を切替候補波長に切り替える制御を行うことを特徴とするものである。
【発明の効果】
【０００７】
本発明の波長切替制御によれば、切替後の波長となる切替候補波長を予め決定しておくので、切替に要する時間を短縮することができ、波長切替を要するタイミングで即座に切替を実行することができる。また、選択波長と異なると共に多重化される他の波長とも異なる波長を切替候補波長として決定するので、多重化される他の波長と重なってしまう事態も未然に回避することができる。
【発明を実施するための最良の形態】
【０００８】
実施の形態１．
図１は、本発明の実施の形態１に係る可変波長伝送システムのネットワーク構成図である。可変波長伝送システムは、ＷＤＭ（Wavelength Division Multiplexing）伝送装置２１〜２４と監視制御端末３０とをＬＡＮ（Local Area Network）等のネットワークで接続して構成されたシステムである。ＷＤＭ伝送装置２１〜２４は、相互にリング状に接続され、異なる複数の波長の光信号を多重化する伝送装置である。また、ＷＤＭ伝送装置２１〜２４の各々は、たとえばＳＤＨ（Synchronuos Digital Hierarchy）伝送装置２０に接続される。ＳＤＨ伝送装置２０は、光ファイバーを用いて高速デジタル通信を行う伝送装置である。監視制御端末３０は、ＷＤＭ伝送装置２１〜２４を遠隔から集中的に監視制御を行う端末である。なお、ＷＤＭ伝送装置の数は４個に限らない。
【０００９】
図２は、ＷＤＭ伝送装置の構成を示すブロック図である。ＷＤＭ伝送装置２１は、監視制御基板９、可変波長トランスポンダ１０、光カプラ３１および光増幅部３２を備えている。監視制御基板９は、可変波長トランスポンダ１０、光カプラ３１および光増幅部３２の監視制御を行うとともに、監視制御端末３０とのインタフェース機能も有する。光カプラ３１は、光信号の波長多重および波長分離を行う。光増幅部３２は、遠隔にある装置との通信を可能するために光信号を増幅する。
【００１０】
図３は、可変波長トランスポンダの構成を示すブロック図である。可変波長トランスポンダ１０は、ＯＥ（Optical/ Electric）変換部１、可変波長送信部２、ＥＯ（Electric/ Optical）変換部３、光受信部４、可変波長フィルタ５および障害検出部６を備えている。ＯＥ変換部１は、光信号から電気信号への変換を行う。可変波長送信部２は、波長切替制御部７から指示された波長で光信号の送信を行う。ＥＯ変換部３は、電気信号から光信号への変換を行う。光受信部４は、可変波長フィルタ５を透過した光信号を受信する。可変波長フィルタ５は、波長多重された光信号のうち波長切替制御部７によって指示された波長の光信号のみを透過させるフィルタである。障害検出部６は、可変波長フィルタ５または光受信部４から伝送路警報等の障害情報を検出する。波長切替制御部７は、可変波長送信部２および可変波長フィルタ５の波長を切り替える制御を行う。波長情報格納部８は、波長切替制御部７によって選択された波長について障害が検出された場合に、切り替えるための切替候補波長を格納する。
【００１１】
次に、本実施の形態の動作を説明する。
【００１２】
監視制御端末３０から、監視制御基板９を経由して、波長情報格納部８には、予め、障害時に備えたネットワーク構成情報、即ち、切替候補波長情報を格納する。切替候補波長としては、選択波長と異なると共に多重化される他の波長とも異なる波長を予め決定しておき波長情報格納部８に格納しておく。障害検出部６では、可変波長フィルタ５または光受信部４から通知される伝送路の運用状態（障害情報）を常に監視しており、障害を検出した場合、伝送環境条件として障害検出を波長切替制御部７に通知する。ここで、障害検出が有る場合の伝送環境条件が波長切替を行う条件と等しく、障害検出が無い場合の伝送環境条件が波長切替を行わない条件に等しいものとする。波長切替制御部７では、伝送環境条件が切替を行う条件に適合する場合に、波長情報格納部８の情報に基づき、可変波長送信部２並びに可変波長フィルタ５に対し、自立的に、波長切替制御を実行する。切替実行後の運用波長状態は、監視制御基板９を通し、監視制御端末３０へと通知され、ネットワーク全体の状態監視が行われる。こうして、新たな波長に関する通信パスが確立されたことを、遠隔から確認することが可能となる。
【００１３】
このように、波長情報格納部８に切替後の波長となる切替候補波長を予め格納しておくので、切替に要する時間を短縮することができ、波長切替を要するタイミングで即座に切替を実行することができる。したがって、サービスの停止を最小限に留め、新たな波長の通信パスを即座に確立することができる。また、選択波長と異なると共に多重化される他の波長とも異なる波長を切替候補波長として決定するので、多重化される他の波長と重なってしまう事態も未然に回避することができる。さらに、このような波長切替制御を用いた可変波長トランスポンダ１０を適用することで、決まった波長の予備波長用品を用意する必要がなく、初期導入時に予め実装・配線をすることで、用品数の削減・保守性の向上を図ることが可能となる。
【００１４】
実施の形態２．
図４は、本発明の実施の形態２に係るＷＤＭ伝送装置の構成を示すブロック図である。本実施の形態２に係るＷＤＭ伝送装置は、実施の形態１に係るＷＤＭ伝送装置の一部を変更したものである。以下、変更点について説明し、その他の構成および動作については、説明を省略する。
【００１５】
実施の形態１では、各可変波長トランスポンダ１０に波長切替制御部７および波長情報格納部８を設け、各可変波長トランスポンダ１０でそれぞれ切替候補波長情報を管理し、波長切替を制御していたが、本実施の形態２では、波長切替制御部７および波長情報格納部８を監視制御基板９に設け、複数の可変波長トランスポンダ１０に関する波長切替候補波長情報の管理および波長切替の制御を集中的に行うものである。また、監視制御基板９には、各可変波長トランスポンダ１０の状態を監視する状態監視部１１を設けている。
【００１６】
次に、本実施の形態の動作を説明する。
【００１７】
監視制御端末３０から、監視制御基板９に対し、波長情報格納部８には、予め、障害時に備えたネットワーク構成情報、即ち、切替候補波長情報を格納する。可変波長トランスポンダ１０内にある障害検出部６では、可変波長フィルタ５または光受信部４から通知される伝送路の運用状態（障害情報）を常に監視しており、障害を検出した場合、監視制御基板９の波長切替制御部７へ障害検出を通知する。障害検出の通知を受けた波長切替制御部７では、波長情報格納部８の情報に基づき、可変波長トランスポンダ１０にある可変波長送信部２並びに可変波長フィルタ５に対し、波長切替制御を実行する。切替実行後の運用波長状態は、監視制御基板９の状態監視部１１で常に監視しており、その状態は監視制御端末３０へと通知される。こうして、ネットワーク全体の状態監視が行われ、新たな通信パスが確立されたことを確認することが可能となる。
【００１８】
このように、監視制御基板９では、１つの可変波長トランスポンダ１０を監視制御するだけでなく、複数の可変波長トランスポンダ１０を監視制御することによって、ＷＤＭ伝送装置２１全体の波長情報を集中的に管理することができる。
【００１９】
実施の形態３．
図５は、本発明の実施の形態３に係るＷＤＭ伝送装置の構成を示すブロック図である。本実施の形態３に係るＷＤＭ伝送装置は、実施の形態１に係るＷＤＭ伝送装置に一部の構成を追加したものである。以下、追加点について説明し、その他の構成および動作については、説明を省略する。
【００２０】
本実施の形態３に係るＷＤＭ伝送装置は、実施の形態１に係るＷＤＭ伝送装置の可変波長トランスポンダ１０にそれぞれ状態監視部１１を設けたものである。状態監視部１１は、他の可変波長トランスポンダ１０の状態を監視する。
【００２１】
次に、本実施の形態の動作を説明する。
【００２２】
監視制御端末３０から、監視制御基板９を経由して、波長情報格納部８には、予め、障害時に備えたネットワーク構成情報、即ち、切替候補波長情報を格納する。可変波長トランスポンダ１０内にある障害検出部６では、可変波長フィルタ５または光受信部４から通知される伝送路の運用状態（障害情報）を常に監視しており、障害を検出した場合、波長切替制御部７へ障害検出を通知する。障害検出の通知を受けた波長切替制御部７では、波長情報格納部８の情報に基づき、可変波長送信部２並びに可変波長フィルタ５に対し、波長切替制御を実行する。切替実行後の運用波長状態は、状態監視部１１にて、常に監視しており、その状態は監視制御基板９を通して、監視制御端末３０へと通知される。こうして、ネットワーク全体の状態監視が行われ、新たな波長に関する通信パスが確立されたことを確認することが可能となる。
【００２３】
このように、可変波長トランスポンダ１０は、自らの監視制御を行うだけでなく、他の可変波長トランスポンダ１０の波長運用状態を監視することによって、複数の可変波長トランスポンダ１０で同一波長を割り当ててしまう事態を未然に回避できる。
【００２４】
実施の形態４．
図６は、本発明の実施の形態４に係る可変波長伝送システムの構成を示すブロック図である。本実施の形態４に係る可変波長伝送システムは、実施の形態３に係るＷＤＭ伝送装置を含む可変波長伝送システムに一部の構成を追加したものである。以下、追加点について説明し、その他の構成および動作については、説明を省略する。
【００２５】
本実施の形態４に係る可変波長伝送システムは、実施の形態３に係るＷＤＭ伝送装置を含む可変波長伝送システムにおいて、監視制御端末３０に波長状態管理部１３および波長状態制御部１４を設けたものである。波長状態管理部１３は、ネットワーク全体の波長運用状態を管理する。波長状態制御部１４は、波長状態管理部１３が管理するネットワーク全体の波長運用状態に応じてＷＤＭ伝送装置２１の波長切替を制御する。
【００２６】
次に、本実施の形態の動作を説明する。
【００２７】
監視制御端末３０から、監視制御基板９を経由して、波長情報格納部８には、予め、障害時に備えたネットワーク構成情報、即ち、切替候補波長情報を格納する。可変波長トランスポンダ１０内にある障害検出部６では、可変波長フィルタ５または光受信部４から通知される伝送路の運用状態（障害情報）を常に監視しており、障害を検出した場合、状態監視部１１、監視制御基板９を通して監視制御端末３０に通知される。監視制御端末３０では、ネットワーク全体を考慮し、切替候補波長（可変波長トランスポンダ１０に予め設定している切替候補波長情報）への切替を実行するかどうかを、波長状態制御部１４にて判断する。当該ＷＤＭ伝送装置２１にて、或いは、ネットワーク全体を通して、切替候補波長への切替を実行しても問題なければ、監視制御基板９を経由し、波長切替制御を実行を指示する。波長切替制御部７では、上位からの実行指示、この場合、監視制御端末３０からの波長切替実行指示に基づき、可変波長送信部２および可変波長フィルタ５に対して、切替制御を実行する。切替実行後の運用波長状態は、状態監視部１１にて、常に監視しており、その状態は監視制御基板９を通して、監視制御端末３０へと通知される。こうして、ネットワーク全体の状態監視が行われ、新たな波長に関する通信パスが確立されたことを確認することが可能となる。
【００２８】
このように、監視制御端末３０によりネットワーク全体の波長運用状態を集中管理することで、最適な波長へ制御が可能となる。
【図面の簡単な説明】
【００２９】
【図１】本発明の実施の形態１に係る可変波長伝送システムのネットワーク構成図である。
【図２】ＷＤＭ伝送装置の構成を示すブロック図である。
【図３】可変波長トランスポンダの構成を示すブロック図である。
【図４】本発明の実施の形態２に係るＷＤＭ伝送装置の構成を示すブロック図である。
【図５】本発明の実施の形態３に係るＷＤＭ伝送装置の構成を示すブロック図である。
【図６】本発明の実施の形態４に係る可変波長伝送システムの構成を示すブロック図である。
【符号の説明】
【００３０】
１  ＯＥ変換部
２  可変波長送信部
３  ＥＯ変換部
４  光受信部
５  可変波長フィルタ
６  障害検出部
７  波長切替制御部
８  波長情報格納部
９  監視制御基板
１０  可変波長トランスポンダ
１１  状態監視部
１３  波長状態管理部
１４  波長状態制御部
１５  監視制御端末
２０  ＳＤＨ伝送装置
２１〜２４  ＷＤＭ伝送装置
３０  監視制御端末
３１  光カプラ
３２  光増幅部
【図１】
2005286736.tif 000003
【図２】
2005286736.tif 000004
【図３】
2005286736.tif 000005
【図４】
2005286736.tif 000006
【図５】
2005286736.tif 000007
【図６】
2005286736.tif 000008